(57)【要約】【課題】電子機器におけるバッテリーロック機構の配置構成を考慮し、電子機器の一層の小型化を可能とする。【解決手段】電子機器１の背面側に設けられ、バッテリー２４が着脱自在に装着されるバッテリー装着部２５と、このバッテリー装着部２５の裏面側に沿って配置され、その一部１４０ａがバッテリー装着部２５のバッテリー装着面に突出し、バッテリー装着部２５に装着されたバッテリー２４に係合してこれをロックするロック部材１４０と、バッテリー装着部２５のバッテリー装着面と直交する方向にスライド可能に配置され、ロック部材１４０と係合してバッテリー２４のロックを解除するロック解除部材１５０とを備え、ロック部材１４０とロック解除部材１５０がＬ字状に配置された構成とする。【選択図】  図１７
2005190731.tif 000002
【特許請求の範囲】
【請求項１】
電子機器の背面側に設けられ、バッテリーが着脱自在に装着されるバッテリー装着部と、
前記バッテリー装着部の裏面側に沿って配置され、その一部が前記バッテリー装着部のバッテリー装着面に突出し、前記バッテリー装着部に装着された前記バッテリーに係合してこれをロックするロック部材と、
前記バッテリー装着部のバッテリー装着面と直交する方向にスライド可能に配置され、前記ロック部材と係合して前記バッテリーのロックを解除するロック解除部材と、を備え、
前記ロック部材と前記ロック解除部材がＬ字状に配置されて構成されることを特徴とする電子機器のバッテリーロック機構。
【請求項２】
前記ロック解除部材のスライド動作を規制するスライドロック部材が備えられていることを特徴とする請求項２に記載の電子機器のバッテリーロック機構。
【請求項３】
前記スライドロック部材は、前記ロック解除部材に搭載されていることを特徴とする請求項３に記載の電子機器のバッテリーロック機構。
【請求項４】
前記電子機器の外装ケースの一部を構成するパネルに前記バッテリー装着部が設けられ、かつ前記パネルに前記ロック部材と前記ロック解除部材が組み付けられる構成としたことを特徴とする請求項１〜３の何れか１項に記載の電子機器のバッテリーロック機構。
【発明の詳細な説明】
【技術分野】
【０００１】
本発明は、電子機器の駆動電源であるバッテリーを電子機器に装着した状態でロックすると共にそのロックを解除するバッテリーロック機構に関する。
【背景技術】
【０００２】
従来、電子機器のバッテリーロック機構としては、例えば下記の特許文献１に記載されるようなものがある。
即ちこのバッテリーロック機構は、電子機器(ビデオカメラ)の背面側にバッテリーが装着され、その状態でバッテリーは、バッテリー装着面に突出するロック部材が係合してロックされるようになっている。そしてこのバッテリーロック機構では、ロック部材の横に押釦式のロック解除部材が設けられており、このロック解除部材を押すことでロック部材がバッテリーから外れ、これによってバッテリーのロックが解除されて電子機器からバッテリーを取り外すことができる構造となっている。
【特許文献１】特開平７−３１２２１４号公報
【発明の開示】
【発明が解決しようとする課題】
【０００３】
この特許文献１に記載のバッテリーロック機構は、ロック部材の横に押釦式のロック解除部材を配置した構成であるため、機構の配置に大きなスペースを必要としていた。近年、電子機器は一層の小型化が進んでおり、内部構造の省スペース化が要求されているが、特許文献１に記載のバッテリーロック機構では、この要求に応えることはできない。
本発明は斯かる点に鑑みてなされたもので、電子機器におけるバッテリーロック機構の配置構成を考慮し、電子機器の一層の小型化を可能とすることを目的としている。
【課題を解決するための手段】
【０００４】
前記の目的を達成するため本発明のバッテリーロック機構は、電子機器の背面側に設けられ、バッテリーが着脱自在に装着されるバッテリー装着部と、このバッテリー装着部の裏面側に沿って配置され、その一部がバッテリー装着部のバッテリー装着面に突出し、バッテリー装着部に装着されたバッテリーに係合してこれをロックするロック部材と、バッテリー装着部のバッテリー装着面と直交する方向にスライド可能に配置され、ロック部材と係合してバッテリーのロックを解除するロック解除部材と、を備え、ロック部材とロック解除部材がＬ字状に配置された構成としたものである。
また本発明のバッテリーロック機構では、ロック解除部材のスライド動作を規制するスライドロック手段を備える。この場合、スライドロック手段は、ロック解除部材に搭載されるものとする。
更に本発明では、電子機器の外装ケースの一部を構成するパネルにバッテリー装着部が設けられ、かつこのパネルにロック部材とロック解除部材が組み付けられる構成とする。
【発明の効果】
【０００５】
本発明は、ロック部材とロック解除部材がＬ字状に配置された構成としたことにより、バッテリーロック機構を電子機器の外装ケースと内部構造部との間の僅かな隙間に配置できるので、電子機器の一層の小型化に大きく貢献できる効果がある。
また本発明では、ロック解除部材のスライド動作を規制するスライドロック部材を備えることにより、バッテリーのロックが誤って解除されてしまうことを防止できる効果がある。またこのスライドロック部材をロック解除部材に搭載した構成とすることで、省スペース化が可能となるため、電子機器の小型化に有利となる効果がある。
更に本発明では、電子機器の外装ケースの一部を構成するパネルにロック部材とロック解除部材が組み付けられる構成としたことにより、電子機器の組み立て時には予めパネルにロック部材とロック解除部材を組み付けておき、このパネルを電子機器の外装ケースに取り付けるようにすることで、組み立て効率を向上できる効果がある。
【発明を実施するための最良の形態】
【０００６】
以下、図面を参照しながら本発明の実施例について詳細に説明する。
先ず、本発明が適用される電子機器として、撮像装置の構成を説明する。図１〜図４は撮像装置の一実施例を示す斜視図、正面図、平面図及び側面図、図５は表示装置を開いた後方からの斜視図、図６はディスク側の後方から見た斜視図、図７はディスク蓋を開いた前方からの斜視図、図８は同じくディスク状記録媒体を装着した状態の斜視図、図９は同じく側面図、図１０は撮像装置を把持した状態の説明図である。
【０００７】
この撮像装置１は、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタ等の表示装置に表示できるようにしたもの（以下「ディスク式撮像装置」という。）である。しかしながら、本発明のディスク状記録媒体としては、ＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。
【０００８】
このディスク式撮像装置１は、着脱自在に装着されるＤＶＤ２を回転駆動して情報信号の記録（書き込み）及び再生（読み出し）を行うディスクドライブ装置３（図７〜図９を参照）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【０００９】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及び背面側のバッテリー装着パネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３が４箇所に設けられたマウントインシュレータを介して弾性的に支持されている。これらのパネル８〜１２は、互いに重ね合わされた適当な部分において、或いは他の部材を介して固定ネジからなる固着手段によって組立・分解可能に構成されている。
【００１０】
レンズ装置４は、外装ケース５の上部に内蔵された状態で固定されていて、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００１１】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができる。
【００１２】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されていて、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００１３】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００１４】
図５及び図６に示すように、外装ケース５の一部を構成するバッテリー装着パネル１２には、撮像装置の駆動用電源であるバッテリー２４が着脱自在に装着されるバッテリー装着部２５が設けられている。バッテリー装着部２５は、バッテリー装着パネル１２の背面及び下面に開口されていて、バッテリー２４を下方から差し込んで装着し、同方向へ取り外し可能とされている。更に、バッテリー装着パネル１２には、吊り下げ用ストラップのための２個の支持金具２６ａ，２６ｂが取り付けられている。２個の支持金具２６ａ，２６ｂのうち、一方の支持金具２６ａは右サイドの上部に配置され、他方の支持金具２６ｂは左サイドの下部に配置されている。
【００１５】
図４及び図５に示すように、外装ケース５の表示装置側パネル１０には、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
【００１６】
パネル支持部３１は、垂直軸を回動中心としてパネルケース３０を水平方向に略９０度回動可能とした水平回動機能と、水平軸を回動中心としてパネルケース３０を前後方向に略１８０度回動可能とした前後回動機能とを有している。これにより表示装置２８は、図１〜図４に示す収納状態と、図５に示すパネルケース３０を９０度回動させて液晶モニタ２９を後方へ対向させた状態と、図５の状態からパネルケース３０を１８０度回動させて液晶モニタ２９を前方へ対向させた状態と、それらの中間位置の状態とを任意に取ることができる。
【００１７】
更に、表示装置側パネル１０には、パネルケース３０によって開閉自在に覆われる多数の操作ボタンからなる内側操作部３２と、パネルケース３０の上方に配された複数の操作ボタンからなる外側操作部３３が設けられている。
【００１８】
ディスク収納部６は、ディスクドライブ装置３の一部を露出させるための開口部を有する一定領域からなり、この実施例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。
【００１９】
このテーブル回転装置３５が配置されたディスク収納部６は、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部７ａと、この平面部７ａの外周縁の略全周に亘って連続する周面部７ｂを有している。ディスク蓋７の周面部７ｂは、ディスク側パネル８のディスク収納部６の外周側切欠き部と嵌り合うように構成されている。
【００２０】
この実施例で示すディスク蓋７は、外周縁一周の略５／６（約３００度）が円形（円形部分は全体の略３／４以上あれば良い。）とされたシェル形をなしていて、残りの部分が直線からなる方形部７ｃとされている。この方形部７ｃには、ディスク蓋７を開閉動作させるための回動中心となる蓋回動軸部３９が取り付けられている。蓋回動軸部３９は、図示しないが、方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３９には、ディスク蓋７の最大開き角度（例えば、９０度）を設定するストッパー部が設けられている。
【００２１】
このような蓋回動軸部３９が、その支持軸の軸方向を上下方向に設定してディスク側パネル８に取り付けられている。これにより、ディスク蓋７が蓋回動軸部３９を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００２２】
このディスク側パネル８と重ね合わされる中央部パネル９の上面部の略中央部から前面部の下部に亘る部分には、内側となる表示装置側パネル１０側に傾斜させることによって凹部となるくびれ４２が設定されている。このくびれ４２を有するディスク側パネル８及び中央部パネル９の円弧状をなす部分によってディスク式撮像装置１を握って保持するためのグリップ部４３が構成されている。
【００２３】
このような中央部パネル９とディスク側パネル８の間には、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。
【００２４】
また、図３及び図６等に示すように、ディスク側パネル８には、ディスク蓋７を囲うようにハンドストラップ６０が取り付けられている。ハンドストラップ６０は、外装ケース５の把持部とされたグリップ部４３を握るユーザーの手の部分を支えて、ディスク式撮像装置１の取り落とし等を防止するものである。
【００２５】
このハンドストラップ６０は、両端がディスク側パネル８に固定された支持ベルト６１と、この支持ベルト６１に装着されてユーザーの手の甲部分に当接される保護パッド６２から構成されている。支持ベルト６１の一端はディスク側パネル８の前側下部に固定された取付金具６３に連結され、他端はディスク側パネル８の後側中途部に設けた貫通穴から内側に挿入されて、その内部に取り付けられた取付金具に固定されている。
【００２６】
図６等に示すように、ディスク側パネル８の後部には、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。モード切換ダイヤル６５は録画等の動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００２７】
更に、ディスク側パネル８の後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時等において画像を拡大するためのもので、その操作量に応じて一定の範囲内で倍率を無段階に調整することができる。
【００２８】
前述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。
【００２９】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載される回路基板等によって構成される。
【００３０】
図３に示すように、ディスクドライブ装置３は、仕切りパネルに取り付けられるメカシャーシ３７と、このメカシャーシ３７に固定されるテーブル回転装置３５と、ピックアップ装置の一具体例を示す光学ピックアップ装置７１等を備えて構成されている。メカシャーシ３７は導電性の板材で形成されていて、絶縁性材料で形成された弾性体からなる複数個のマウントインシュレータを介して仕切りパネルに弾性的に支持されている。
【００３１】
このように仕切りパネルに取り付けられたメカシャーシ３７は、十分に大きな強度を有する枠状の部材によって構成されている。メカシャーシ３７と仕切りパネルの導体部分は、図示しないアース部材によって互いに導通されていて、静電気等を外部に放出し易い構造とされている。このメカシャーシ３７に搭載されたテーブル回転装置３５は、メカシャーシ３７に固定されたスピンドルモータと、このスピンドルモータの回転部に固定されたターンテーブル３６とから構成されている。
【００３２】
ターンテーブル３６は、ＤＶＤ２のセンタ穴が嵌合される嵌合部３６ａと、センタ穴の周縁部が載置される載置部３６ｂとからなっている。更に、ターンテーブル３６の嵌合部３６ａには、ＤＶＤ２のセンタ穴の周縁部に係合してＤＶＤ２を保持する複数個の係合爪３６ｃが周方向に複数個設けられている。各係合爪３６ｃはスプリングによって半径方向外側へ付勢されており、このスプリングのバネ力によってＤＶＤ２が嵌合部３６ａに位置決め固定される。
【００３３】
また、光学ピックアップ装置７１は、ＤＶＤ２の情報記録面に対向されるピックアップレンズ７４ａを有する二軸アクチュエータ７４と、この二軸アクチュエータ７４が搭載されたスライド部材７５等を備えて構成されている。スライド部材７５は、図に表れない２本のガイド軸にガイドされて移動可能とされている。２本のガイド軸は、スピンドルモータを挟んで互いに平行とされており、一方のガイド軸の近傍にピックアップ移動装置が設けられている。
【００３４】
図示しないが、ピックアップ移動装置は、スライド部材７５に取り付けられた送りナットに係合される送りネジ軸と、この送りネジ軸を回転軸とした送りモータとから構成されている。送りネジ軸は光学ピックアップ装置７１のガイド軸と平行に設定され、メカシャーシ３７に回転自在に支持されている。かくして、送りモータを駆動して送りネジ軸を回転することにより、その送りネジ軸の回転方向に応じて光学ピックアップ装置７１がターンテーブル３６に近づく方向とターンテーブル３６から離れる方向とに選択的に移動される。これらメカシャーシ３７とテーブル回転装置３５と光学ピックアップ装置７１とピックアップ移動装置とその他の関連機構とによってディスクドライブ装置３が構成されている。
【００３５】
このような構成を有するディスクドライブ装置３が取り付けられた仕切りパネルを外装ケース５内の所定位置に固定することにより、図７に示すように、テーブル回転装置３５のターンテーブル３６とその周辺部分がディスク側パネル８のディスク収納部６に配置される。このディスク収納部６がディスク蓋７によって開閉され、そのディスク蓋７のロック及びそのロック解除が蓋開閉機構によって行われる。
【００３６】
蓋開閉機構は、図７に示すように、ディスク蓋７に固定されるロック部材４６と、ディスク側パネル８側の部材であるベースプレートに摺動可能に取り付けられる操作部材４７等から構成されている。ロック部材４６は、一対のロック爪４６ａ，４６ｂによりなり、ディスク蓋７を閉じたときにはこのロック爪４６ａ，４６ｂがディスク側パネル８の前面部に形成された挿入孔５７ａ，５７ｂに挿入された状態でロックが行われ、このディスク蓋７のロックは、操作部材４７をスライド操作することによって解除されるようになっている。
【００３７】
このようにディスク蓋７が開閉されるディスク式撮像装置１によれば、例えば、図１０に示すような状態でディスク式撮像装置１を片手でしっかりと把持して被写体を撮影することができる。この場合、外装ケース５のディスク側パネル８及びディスク蓋７の部分がそのままディスク式撮像装置１を握るための把持部となっており、しかも、その把持部の略全体が略円形に形成されているため、大きなグリップ部４３で安定した撮影が可能となった。
【００３８】
また、グリップ部４３の内側にはくびれ４２が設定されているため、そのくびれ４２に人差し指から小指までの各先端部を掛けて握ることにより、十分に大きな把持力を生じさせることができる。更に、グリップ部４３の内側に設定された空間領域に蓋開閉機構４５が収納されているため、外装ケース５内の空間領域を無駄なく利用できるようになった。そのため、外装ケース５内の空き領域を無くすことによって当該外装ケース５の小型化が可能となり、その結果、装置全体の小型化が可能となった。
【００３９】
続いて、図１１以降を参照し、本発明の要部であるバッテリーロック機構について説明する。図１１は撮像装置のバッテリーを外した状態を背面側から見た斜視図、図１２はバッテリーを外した撮像装置を横にして底面側から見た斜視図、図１３はバッテリーロック機構を下から見た斜視図、図１４はバッテリーロック機構の分解斜視図、図１５はバッテリーロック機構を裏面側から見た斜視図、図１６は図１５において押さえ板を取り外した状態の斜視図、図１７〜図１９はバッテリーロック解除動作の説明図、図２０はバッテリーの斜視図である。
【００４０】
図１１及び図１２に示すように、バッテリー２４は、撮像装置１の背面側に設けられたバッテリー装着部２５に着脱自在に装着される。バッテリー装着部２５は、撮像装置１の背面側において外装ケース５の一部を構成するバッテリー装着パネル１２に設けられている。
【００４１】
図２０に示すように、バッテリー２４には、左右両側部において上下２箇所に長溝１２０ａ，１２０ｂが形成されている。これに対しバッテリー装着パネル１２には、図１３及び図１４に示す如く両側壁部１２ａ及び１２ｂの内面側に係合部１３０ａ，１３０ｂが突出形成されており、バッテリー２４はこの係合部１３０ａ，１３０ｂに長溝１２０ａ，１２０ｂが係合することによってバッテリー装着部２５に固定保持される。図２０に示すように、バッテリー２４の長溝１２０ａ，１２０ｂは上半部が前面に開放されており、バッテリー２４を装着するときには、この開放部から長溝１２０ａ，１２０ｂをバッテリー装着パネル１２の係合部１３０ａ，１３０ｂに係合させ、その状態からバッテリー２４をバッテリー装着部２５に沿って上方に移動させて長溝１２０ａ，１２０ｂを完全に係合部１３０ａ，１３０ｂに係合させるようにする。
【００４２】
こうしてバッテリー装着部２５に装着されたバッテリー２４は、その上端面に形成された端子部１２１ａ，１２１ｂ，１２１ｃ(図２０参照)が、バッテリー装着部２５の上方に設けられた撮像装置側の端子部１３１ａ，１３１ｂ，１３１ｃ(図１２参照)と接触し、撮像装置１に駆動電力を供給する。
【００４３】
そして、このようにバッテリー装着部２５にバッテリー２４が装着された状態でバッテリー２４をロックすると共にそのロックを解除するバッテリーロック機構が、バッテリー装着パネル１２に設けられている。このバッテリーロック機構は、バッテリー装着部２５に装着されたバッテリー２４に係合してこれをロックするロック部材１４０と、このロック部材１４０によるバッテリーのロックを解除するロック解除部材１５０と、を有して構成され、特に本例のバッテリーロック機構では、このロック部材１４０とロック解除部材１５０がＬ字状に配置された構成となっている。
【００４４】
図１４〜図１６に示すように、ロック部材１４０は、バッテリー装着パネル１２の裏面側に沿ってスライド可能に配置される板状部品によりなる。このロック部材１４０の上端部には係合子１４０ａが設けられており、この係合子１４０ａが通孔１４１からバッテリー装着パネル１２の表面側即ちバッテリー装着面側に突出される。
【００４５】
ロック部材１４０は、その下端部に支軸１４２を通し、この支軸１４２の両端をバッテリー装着パネル１２の裏面側に設けられた軸受凹部１４３ａ，１４３ｂに挿入して、バッテリー装着パネル１２に対し接離する方向に回動可能に取り付けられる。支軸１４２は、軸受凹部１４３ａ，１４３ｂに挿入された状態で、バッテリー装着パネル１２にネジ止めされる保持板１４４の押さえ部１４４ａ，１４４ｂにより、軸受凹部１４３ａ，１４３ｂから外れないように保持される。
【００４６】
更に、ロック部材１４０の下端部において支軸１４２には、ロック部材１４０と保持板１４４との間に戻しバネである捩りコイルバネ１４５が装着され、この捩りコイルバネ１４５の弾性力によって常にロック部材１４０は、バッテリー装着パネル１２の裏面側に圧着し、係合子１４０ａが通孔１４１から突出されるように付勢されている。なお、図１９に示すようにロック部材１４０は、メカシャーシ等の内部構造部の板金１４９がストッパーとなっていて、捩りコイルバネ１４５による付勢方向と逆方向に無理に押し込もうとしても、板金１４９に当たることでそれ以上は押し込めないようになっている。
【００４７】
以上の構成により、バッテリー装着部２５にバッテリー２４が装着された状態では、バッテリー２４に設けられたロック凹部１２２(図２０参照)にロック部材１４０の係合子１４０ａが係合し、これによってバッテリー２４は、長溝１２０ａ，１２０ｂがバッテリー装着パネル１２の係合部１３０ａ，１３０ｂから外れないように移動不能にロックされる。
【００４８】
一方、ロック解除部材１５０は、撮像装置１の底面側に、バッテリー装着部２５のバッテリー装着面と直交する方向にスライド可能に配置される板状部品によりなる。図１３に示すように、バッテリー装着パネル１２の下端部には、バッテリー装着部２５に対し直角に裏面側から突出する延長板部１２ｃが一体に形成されており、この延長板部１２ｃに形成された組み付け孔１５１にロック解除部材１５０が装着される。
【００４９】
図１４に示すように、組み付け孔１５１はバッテリー装着面側に開放されており、この開放部１５１ａからロック解除部材１５０を挿入して組み付ける。ここでロック解除部材１５０は、両側縁面に側溝１５０ａを有し、この側溝１５０ａが組み付け孔１５１の内側縁に沿って形成されたガイド縁部(図には表れていない)に係合してスライド可能に組み付けられる。こうして組み付けられたロック解除部材１５０は、組み付け孔１５１の開放部１５１ａに嵌着固定されるストッパー部材１５３により、組み付け孔１５１から外れないように保持される。図１３に示すように、ロック解除部材１５０は、組み付け孔１５１から表出される下面側を操作面とし、この操作面には、スライド操作時に指を掛け易くするための凹部１５０ｂが形成されている。
【００５０】
更に、ロック解除部材１５０は、そのスライド動作を規制するスライドロック部材１５５を搭載している。このスライドロック部材１５５は、ロック解除部材１５０上に昇降移動可能に組み付けられていて、その一端側には釦部１５０ａを一体に有し、この釦部１５０ａがロック解除部材１５０の通孔１５０ｃから操作面の凹部１５０ｂに突出されている。そして、このスライドロック部材１５５は、釦部１５５ａの上方においてロック解除部材１５０との間に取り付けられた戻しバネであるジンバルバネ１５６により、常に下方即ちロック解除部材１５０に圧着する方向に付勢されており、このスライドロック部材１５５の端面１５５ｂと、これと対応するストッパー部材１５３の受板部１５３ａとの間でスライドロック機構を構成している。
【００５１】
このようにスライドロック部材１５５を搭載したロック解除部材１５０に対応してロック部材１４０には、ロック解除部材１５０のスライド操作力をロック部材１４０に伝達するための伝達板１４７が固定されている。この伝達板１４７は、所要形状に屈曲された板バネによりなり、その下端部１４７ａがロック部材１４０の下方に延びてスライドロック部材１５５の端面１５５ｂに当接係合されている。
【００５２】
以上の如く構成される本例のバッテリーロック機構におけるバッテリーロック解除動作を、図１７〜図１９で説明する。
図１７はバッテリーロック状態であり、即ちこの状態ではロック部材１４０の係合子１４０ａがバッテリー２４のロック凹部１２２に係合し、これによってバッテリー２４は、バッテリー装着部２５から外れないようにロックされている。
【００５３】
この状態で、ロック解除部材１５０をバッテリーロック解除方向にスライド操作しようとしても、ロック解除部材１５０に搭載されているスライドロック部材１５５の端面１５５ｂがストッパー部材１５３の受板部１５３ａに突き当たる状態となるため、ロック解除部材１５０をスライドさせることはできない。従って、バッテリーのロックが誤って解除されることはない。
【００５４】
この状態からバッテリー２４のロックを解除するには、ロック解除部材１５０の操作面に突出されているスライドロック部材１５５の釦部１５５ａを押しながら、ロック解除部材１５０をバッテリー装着部に向かってスライド操作する。
即ち、先ずスライドロック部材１５５の釦部１５５ａを押すと、図１８に示すように、スライドロック部材１５５がジンバルバネ１５６を撓ませながら上昇し、その上昇位置ではスライドロック部材１５５の端面１５５ｂがストッパー部材１５３の受板部１５３ａと非対応となるので、ロック解除部材１５０のスライドロックが解除される。
【００５５】
そして、スライドロック部材１５５の釦部１５５ａを押しながら、ロック解除部材１５０をバッテリー装着部に向かってスライド操作すると、図１９に示すように、スライドロック部材１５５の端面１５５ｂが伝達板１４７の下端部１４７ａを押圧し、これによってロック解除部材１５０のスライド操作力が伝達板１４７を介してロック部材１４０に伝達されて、ロック部材１４０は、捩りコイルバネ１４５の力に抗して支軸１４２を支点として回動され、係合子１４０ａがバッテリー２４のロック凹部１２２から抜脱される。
このようにロック部材１４０の係合子１４０ａがバッテリー２４のロック凹部１２２から抜脱されることにより、バッテリー２４のロックが解除される。
【００５６】
このバッテリーロック解除動作においてロック部材１４０は、図１９に示すように、内部構造部の板金１４９がストッパーとなって、それ以上のロック解除方向への移動を規制される。これに対しロック解除部材１５０は移動操作ストロークが大きく、ロック部材１４０の移動ストロークと一致しない。そこで本例の機構では、ロック解除部材１５０の操作力をロック部材１４０に伝達する伝達板１４７に板バネを使用し、バッテリーロック解除動作時にはこの板バネが撓むことでロック解除部材１５０のオーバーストローク分を吸収してスムーズで確実なロック解除動作を可能としている。
【００５７】
そして、以上のようにしてバッテリー２４のロックが解除された状態で、バッテリー２４をバッテリー装着部２５に沿って下方に移動させて長溝１２０ａ，１２０ｂを係合部１３０ａ，１３０ｂから外すことにより、バッテリー２４をバッテリー装着部２５から取り外すことができる。
【００５８】
以上の如く構成され、動作するバッテリーロック機構は、図１３〜図１９で明らかなように、ロック部材１４０とロック解除部材１５０がＬ字状に配置された構成となっている。このため、バッテリーロック機構は最小限のスペースで構成され、これを撮像装置１の外装ケース５と内部構造部(ディスクドライブ装置３のメカシャーシ３７や回路基板、その他の機構部品等)との間の僅かな隙間に配置することが可能となったので、電子機器の一層の小型化に大きく貢献することができた。
【００５９】
また本例のバッテリーロック機構は、ロック解除部材１５０のスライド動作を規制するスライドロック部材１５５を備えたことにより、バッテリー２４のロックが誤って解除されてしまうことを防止することができ、ここではスライドロック部材１５５をロック解除部材１５０に搭載した構成とし、更にはスライドロック部材１５５の戻しバネにジンバルバネ１５６を用いることで省スペース化を図り、撮像装置の小型化に一段と有利な構成とした。
【００６０】
更に本例のバッテリーロック機構は、撮像装置１の外装ケース５の一部を構成するバッテリー装着パネル１２にロック部材１４０とロック解除部材１５０が組み付けられる構成としたことにより、撮像装置１の組み立て時には、予めバッテリー装着パネル１２にロック部材１４０とロック解除部材１５０を組み付けておき、このバッテリー装着パネル１２を電子機器１の外装ケース５に取り付けるようにすることで、組み立て効率を向上させることができた。
【００６１】
そして、本例のバッテリーロック機構によれば、バッテリーを取り外すときの動作を片手で簡単に行なうことができる。即ち、バッテリーを取り外すときには、図２１に示すように、片手でバッテリー２４を掴むように保持しながら、親指でスライドロック部材の釦部１５５ａを押し(ａ)、そのままロック解除部材１５０をバッテリー２４側にスライド操作(ｂ)してバッテリーのロックを解除し、それから親指と対向する側の指でバッテリー２４の上面を押し下げる(ｃ)ことにより、自然と手の中に外れたバッテリー２４を掴むことができる。こうして、人間工学的に無理のない動作でバッテリー２４をスムーズに取り外すことができる。
【００６２】
このように本例のバッテリーロック機構は、バッテリーを意識的に外そうとしなければ外れないロック機構でありながら、バッテリーを外そうとするときには、片手でバッテリーを保持しながら容易に外すことを可能にした機構であり、この機構を採用することで、バッテリーを確実に装着し、かつ取り外しの簡単な使い易い撮像装置を実現することができた。
【産業上の利用可能性】
【００６３】
本発明は、前述しかつ図面に示した実施の形態に限定されるものではなく、その要旨を逸脱しない範囲内で種々の変形実施が可能である。例えば、前記実施例では、ＤＶＤを記録媒体として用いたディスク記録式撮像装置に本発明を適用した例について説明したが、本発明は他にも例えば磁気テープ記録式撮像装置等、各種電子機器のバッテリーロック機構に幅広く適用することができる。
【図面の簡単な説明】
【００６４】
【図１】撮像装置を示す斜視図である。
【図２】撮像装置を示す正面図である。
【図３】撮像装置を示す平面図である。
【図４】撮像装置を示す側面図である。
【図５】撮像装置において、表示装置を側方に開いて背面側から見た斜視図である。
【図６】撮像装置において、バッテリーを装着して背面側から見た斜視図である。
【図７】撮像装置において、ディスク蓋を開いて前面側から見た斜視図である。
【図８】撮像装置において、ディスク状記録媒体を装着した状態の斜視図である。
【図９】撮像装置において、ディスク蓋を開いた状態の側面図である。
【図１０】撮像装置のグリップ部を握った使用状態を示す説明図である。
【図１１】撮像装置のバッテリーを外した状態を背面側から見た斜視図である。
【図１２】バッテリーを外した撮像装置を横にして底面側から見た斜視図である。
【図１３】バッテリーロック機構を下から見た斜視図である。
【図１４】バッテリーロック機構の分解斜視図である。
【図１５】バッテリーロック機構を裏面側から見た斜視図である。
【図１６】図１５において保持板を取り外した状態の斜視図である。
【図１７】バッテリーロック解除動作の説明図で、バッテリーロック状態である。
【図１８】バッテリーロック解除動作の説明図で、ロック解除部材のスライドロックが解除された状態である。
【図１９】バッテリーロック解除動作の説明図で、バッテリーロックが解除された状態である。
【図２０】バッテリーの斜視図である。
【図２１】バッテリーの取り外し動作の説明図である。
【符号の説明】
【００６５】
１…撮像装置(電子機器)、１２…バッテリー装着パネル、２４…バッテリー、２５…バッテリー装着部、１２２…ロック凹部、１４０…ロック部材、１４０ａ…係合子、１４５…捩りコイルバネ、１４７…伝達板、１５０…ロック解除部材、１５５…スライドロック部材、１５５ａ…釦部
【図１】
2005190731.tif 000003
【図２】
2005190731.tif 000004
【図３】
2005190731.tif 000005
【図４】
2005190731.tif 000006
【図５】
2005190731.tif 000007
【図６】
2005190731.tif 000008
【図７】
2005190731.tif 000009
【図８】
2005190731.tif 000010
【図９】
2005190731.tif 000011
【図１０】
2005190731.tif 000012
【図１１】
2005190731.tif 000013
【図１２】
2005190731.tif 000014
【図１３】
2005190731.tif 000015
【図１４】
2005190731.tif 000016
【図１５】
2005190731.tif 000017
【図１６】
2005190731.tif 000018
【図１７】
2005190731.tif 000019
【図１８】
2005190731.tif 000020
【図１９】
2005190731.tif 000021
【図２０】
2005190731.tif 000022
【図２１】
2005190731.tif 000023